(57)【要約】本発明は、複数の電池を有するＥＣ電池束を提供する。すなわち、各電池は、１対のシート状電極と、電極間に挿入された電解質と、シート状の集電要素とを順にそれぞれ含む。シート状集電要素は、全体的に対向する１対の主要面を含み、少なくとも１個のシート状電極から突出し、そこに電気的に接続される。さらに、複数の電池は、各シート状集電要素が全体的に互いに相対するそれらの主要面と並行し、相対する関係にあるように、積層型に構成される。ＥＣ電池束は、分離された関係にある集電端子をさらに含み、端子はシート状集電要素を受容する窪みを画定し、それらと電気的接続を確立する。集電端子の腕は、シート状集電要素の一主要面の少なくとも一部と重なり合う。
2005528741.tif 000002
【特許請求の範囲】
【請求項１】
各電池が、
ａ）１対のシート状電極と、
ｂ）前記電極間の電解質と、
ｃ）少なくとも１個の前記シート状電極から突出し、前記少なくとも１個の前記シート状電極に電気的に接続された、１対の全体的に対向する主要面を有する１枚のシート状集電要素とを含む、複数の電池において、
前記複数の電池は、各電池の各シート状集電要素が各シート状集電要素の主要面と並行であって、相対するように、積層型に構成されており、
１対の腕を有する１つの集電端子は、その腕が相互に離れた関係にあって、その間にシート状集電要素を受容する窪みを画定し、
前記腕の各々が、前記シート状集電要素の１つの一主要面の少なくとも一部と重なり合い、
前記集電要素が前記集電端子に電気的に接続されること
を含む電気化学的（ＥＣ）電池束。
【請求項２】
前記各シート状集電要素が各々の主要面を介して互いに電気的に接続される、請求項１に記載のＥＣ電池束。
【請求項３】
前記各シート状集電要素の前記各主要面が、前記窪み中で互いに物理的に接触している、請求項２に記載のＥＣ電池束。
【請求項４】
各電池のシート状電極の少なくとも一方から突出するシート状集電要素が、前記シート状電極の前記少なくとも一方と重なり合う、請求項３に記載のＥＣ電池束。
【請求項５】
前記腕が互いに分岐する、請求項４に記載のＥＣ電池束。
【請求項６】
前記集電端子が、前記シート状集電要素上で圧着された延性金属材料から作られる、請求項４に記載のＥＣ電池束。
【請求項７】
前記集電端子が、前記シート状集電要素に溶接される、請求項４に記載のＥＣ電池束。
【請求項８】
前記腕の長さが異なり、前記腕の一方が前記腕の他方よりも長い、請求項４に記載のＥＣ電池束。
【請求項９】
前記少なくとも１個のシート状電極が陽極又は陰極のいずれかである、請求項４に記載のＥＣ電池束。
【請求項１０】
前記金属材料が、銅、真鍮、金、銀、アルミニウム、及びそれらの合金からなる群から選択される、請求項６に記載のＥＣ電池束。
【請求項１１】
各ＥＣ電池束の前記腕の他方よりも長い前記腕が、互いに相対し、互いに電気的に接触するように、１対のＥＣ電池束が並行して構成される、請求項８に記載の少なくとも前記１対のＥＣ電池束を含むエネルギー貯蔵デバイス。
【請求項１２】
前記１対のシート状電極が陽極と陰極を含み、前記シート状集電要素が前記陰極から突出し、前記陰極に電気的に接続される、請求項１に記載のＥＣ電池束。
【請求項１３】
前記陰極が、ＬｉｘＶｙＯｚ、ＬｉＣｏＯ２、ＬｉｘＭｎｙＯｚ、ＬｉＮｉＯ２、ＬｉＦｅＰＯ４、ＶｘＯｙ、ＭｎｙＯｚ、Ｆｅ（ＰＯ４）３、ＬｉｘＴｉｙＯｚからなる群から選択される電気化学的に活性な材料を含む、請求項１２に記載のＥＣ電池束。
【請求項１４】
前記陽極が、カチオン源及び集電要素の両方として働く、リチウム又はリチウム合金の金属シ−トを含む、請求項１３に記載のＥＣ電池束。
【請求項１５】
前記集電要素が、アルミニウムと、導電性要素を有する保護層とを含む、請求項１２に記載のＥＣ電池束。
【請求項１６】
前記電解質が固体である、請求項１５に記載のＥＣ電池束。
【請求項１７】
各電池が、
ａ）１対のシート状電極と、
ｂ）前記電極の間に挿入された電解質と、
ｃ）少なくとも１個の前記シート状電極から突出し、全体的に対向する１対の主要面を有する１枚のシート状集電要素と
を含む複数の電池を提供するステップと、
各前記電池の各シート状集電要素が、各シート状集電要素の主要面と並行であって、相対するように複数の電池を積層型に構成するステップと、
集電端子を前記シート状集電要素（複数）上に当てるステップにおいて、前記集電端子は、その１対の腕が、相互に離れた関係にあって、その間にシート状集電要素（複数）を受容する窪みを画定する前記１対の腕を有するステップと
を含み、
前記各腕が、前記シート状集電要素の１つの一主要面の少なくとも一部と重なり合い、
前記集電要素（複数）が、前記集電端子に電気的に接続される
ＥＣ電池束を製作する方法。
【請求項１８】
前記各シート状集電要素が、各々の主要面を介して互いに電気的に接続される、請求項１７に記載のＥＣ電池束を製作する方法。
【請求項１９】
前記各シート状集電要素の各主要面が、前記窪みの中で互いに物理的に接触している、請求項１８に記載のＥＣ電池束を製作する方法。
【請求項２０】
前記集電端子が、前記シート状集電要素上で機械的に圧着された延性金属材料から作られる、請求項１７に記載のＥＣ電池束を製作する方法。
【請求項２１】
前記集電端子が折り曲げ形状をとる、請求項２０に記載のＥＣ電池束を製作する方法。
【請求項２２】
前記金属材料が、銅、真鍮、金、銀、アルミニウム、及びそれらの合金からなる群から選択される、請求項２０に記載のＥＣ電池束を製作する方法。
【請求項２３】
前記腕の長さが異なり、前記腕の一方が前記腕の他方よりも長い、請求項２０に記載のＥＣ電池束を製作する方法。
【請求項２４】
前記集電端子の前記腕の他方よりも長い腕が折り曲げられる、請求項１１に記載のエネルギー貯蔵デバイス。
【請求項２５】
積層型のＥＣ電池束が前記集電端子の前記折り曲げられた腕を介して直列に接続されるように、各前記集電端子の折り曲げられた腕が、並行して構成され、隣接する集電端子の隣接する折り曲げられた腕と電気的に接触する、請求項２４に記載のエネルギー貯蔵デバイス。
【発明の詳細な説明】
【技術分野】
【０００１】
本発明は、電気化学的（ＥＣ）装置に関し、さらに詳細にはＥＣ電池束（ｂｕｎｄｌｅ）を形成するために複数のＥＣ電池を接続するのに使用される集電端子に関する。また、本発明は、ＥＣ電池束を製作する方法にも関する。
【背景技術】
【０００２】
近年、電気化学装置の分野、さらに詳細にはエネルギー貯蔵デバイス（すなわちバッテリー）装置分野は全体的にある種の活況を呈している。実際に、増加し発展し続ける要求、研究、開発、及び市場におけるより大きな競争は、全てこの分野の多くの革新に寄与する要因である。さらに、ＥＣデバイスの製作者や使用者も、これらの製品の代替に多様化した用途を構想している。
【０００３】
例えば、自動車産業は、既に数十年もの間実現性のある電気車両の商品化を探求してきた。それらの車両の重要な要素はそのバッテリーである。バッテリーは必要とされるレベルのエネルギーを提供するだけでなく、耐久性がなければならない。さらに他の例として、通信産業も、信頼性が高く中断のない電力源を提供する、比較的耐久性のある強力なバッテリーを必要としている。
【０００４】
したがって、最近、金属水素化物（例えば、Ｎｉ−ＭＨ）、リチウムイオン、リチウムポリマー電池技術などの多数の先進的なバッテリー技術が開発されており、これらは、多くの商業用途及び消費者用途に必要なレベルのエネルギー生産と安全限界を提供するように思われる。しかしそれらの先進的なバッテリー技術は、製作者にとって課題の多いものとなっている。従来のバッテリー設計では、個々の電池は互いに、またバッテリー電源の正端子及び負端子にワイヤ結線される。しかし、それらの先進的で複雑なバッテリーは、製作が比較的困難かつ高価である。例えば、一般にバッテリーの基礎を形成する個々のＥＣ電池は、ＥＣ電池束を形成するために、通常それらの各部品（すなわち電極等）を互いに溶接によって集電素子に接続する（バッテリーは一般に１個又は複数のＥＣ電池束を含む）。それらのプロセスは、単調であることに加えて、時間を消費し、労働集約的で費用がかかる。
【発明の開示】
【発明が解決しようとする課題】
【０００５】
この背景を考慮すれば、ＥＣ電池束を形成するためにＥＣ電池を接続する、より簡単でよりコスト効率のよい方法が当産業に必要とされていることは明らかである。
【課題を解決するための手段】
【０００６】
第１の広範囲の態様下では、本発明は複数の電池を有するＥＣ電池束を提供する。各電池は各々、１対のシート状の電極と、シート状の電極の間に挿入された電解質セパレータと、シート状の集電要素とを含む。シート状の集電要素は、全体的に対向する１対の主要面を含み、少なくとも１個のシート状電極から突出し、それに電気的に接続される。さらに、それらの各シート状集電要素が、全体的に互いに相対しているそれらの主要面と並行し、相対する関係にあるように、複数の電池は積層型に構成される。ＥＣ電池束は、相互に離れた関係にある１対の腕を備える１つの集電端子をさらに含み、端子はシート状集電要素を受容しそれらと電気的な接続を確立する窪みを画定する。集電端子の各腕はシート状集電要素の一主要面の少なくとも一部に重なり合う。
【０００７】
特定の非制限的な実施例の下では、シート状集電要素は、それらがそこから突出するシート状電極と重なり合い、それらの主要面を介して電気的に互いに接続される。後者は、互いに物理的に接触していることが好ましい。さらに、シート状集電要素は、陽極又は陰極のシート状電極のいずれからも突出することができる。
【０００８】
延性金属材料から作られる集電端子は、圧着及び／又は溶接、半田付け、又は接着剤によってシート状集電要素に機械的に接続される。集電端子の腕は、互いに分岐し、等しい長さであるか、又は腕の一方が腕の他方よりも長い、等しくない長さにすることができる。後者の構造形状によって、それらの集電端子のより長い腕が互いに相対し、電気的に互いに接続するように、並行して構成された少なくとも１対のＥＣ電池束を含むエネルギー貯蔵デバイスを提供することが可能になる。
【０００９】
第２の広範囲な態様下では、本発明は上記で広義に定義した少なくとも１個のＥＣ電池束を含むエネルギー貯蔵デバイスを提供する。
【００１０】
第３の態様では、本発明はＥＣ電池束を製作する方法を提供する。その方法は、複数のＥＣ電池の提供を含み、その各々は、１対のシート状電極と、電極間に挿入された電解質セパレータと、シート状の集電要素とを含む。全体的に対向する１対の主要面を有するシート状の集電要素は、少なくとも１個のシート状電極から突出し、それに電気的に接続される。次いで、複数の電池は、それらの各シート状集電要素が、全体的に互いに相対しているそれらの主要面と並行し、相対する関係にあるように、積層型に構成される。また、その方法は、それらとの電気的接続を確立するために、シート状集電要素の上に集電端子を加えることを含む。集電端子は、間隔をおいた関係にある１対の腕を有し、その間に集電要素を受容する窪みを画定する。集電端子の各腕は、シート状集電要素の一主要面の少なくとも一部にも重なり合う。
【００１１】
本発明の実施例の詳細な説明を、以下の図面を参照して以下に提供する。
【００１２】
図中、本発明の実施形態は例として示されている。説明及び図面は、例示と理解を助ける目的のためだけであり、本発明の制限を定義するものではないことを明確に理解すべきである。
【発明を実施するための最良の形態】
【００１３】
図１を参照すれば、典型的な電気化学的（ＥＣ）電池２０の一例が示されている。さらに詳細には、ＥＣ電池２０は、負のシート状電極２２（一般的に陽極と呼ぶ）と、正のシート状電極２４（一般的に陰極と呼ぶ）と、陽極と陰極の間に挿入された電解質２６とを含む。さらに、シート状陰極集電要素２８は、陰極２４に隣接して配置される。さらに、図１に示すように、陽極２２は、それぞれ陽極２２と集電要素２８がＥＣ電池の第１末端及び第２末端３０、３２に沿って露出するように、集電要素２８に関して僅かにオフセットされる。ここで、上記部品の各々をより詳細に説明する。
【００１４】
好ましい実施形態では、陽極２２はリチウム又はリチウム合金金属シート若しくは箔であり、両方ともカチオン源として、及び集電体として働く。また、陽極２２は、活性陽極材料とは異なる陽極集電要素も含むことができる。例えば、陽極２２は、好ましくは、薄い銅シート、ポリマー、導電性充填材、挿入材料から作られた陽極集電要素を含む複合体とすることができる。導電性充填材の例には、導電性カーボン、カーボンブラック、グラファイト、グラファイトファイバー、グラファイトペーパーが含まれるが制限されない。当業者に知られた任意の挿入材料を使用することができ、特に、カーボン、活性炭、グラファイト、石油コークス、リチウム合金、ニッケル粉、リチウム挿入混合物からなる群から選択することができる。陽極はリチウム塩をさらに含むことができる。しかし、他の材料も陽極２２を形成するのに使用することができる。図１は、陽極２２を構造的に異なる集電要素を含むものとしては描いていないが、それらの構成の陽極が本発明の範囲にあることを明確に理解すべきである。陽極用の別個の集電体は一般に銅から作られる。
【００１５】
陰極２４に関しては、陰極は一般にポリマーの混合物、リチウム塩、電気化学的に活性な材料を含む。適切な電気化学的に活性な材料は、ＬｉｘＶｙＯｚ、ＬｉＣｏＯ２、ＬｉｘＭｎｙＯｚ、ＬｉＮｉＯ２、ＬｉＦｅＰＯ４、ＶｘＯｙ、ＭｎｙＯｚ、Ｆｅ（ＰＯ４）３、又は、ＬｉｘＴｉｙＯｚを含む。好ましい実施形態では、陰極２４はリチウム化酸化バナジウム（ＬｉｘＶｙＯｚ）を含むことが好ましい。しかし、他の任意の適切な活性材料を使用して陰極２４を形成することができる。
【００１６】
電極２６は、固体であり、リチウム塩と混合したポリマーから作られていることが好ましいが、必ずしもその必要はなく、陽極２２と陰極２４を物理的に分離し、イオン移動膜としても働く。
【００１７】
集電要素２８は、主として陰極２４の活性材料とバッテリー端子（示していない）間の電子の流れを伝導する機能を有し、銅、ニッケル、アルミニウム等の材料から一般に作られる。好ましい実施形態では、陰極２４の集電要素２８は、カーボン又はグラファイトなどの導電性要素を有する薄い保護層で被覆されたアルミニウムシート若しくは箔を含む。この保護層は、集電要素が陰極材料に接触したとき、その劣化を防止する。
【００１８】
図１は単一面構成のＥＣ電池（すなわち、集電要素が各々、陽極／電解質／陰極の要素の組合せを伴う）を描いているが、本発明は他のＥＣ電池の構成も同様に意図していることを特に理解すべきである。例えば、二面ＥＣ電池構成（すなわち、共通の集電要素が１対の陽極／電解質／陰極の要素の組合せを伴う）も本発明の精神から逸脱することなく使用することができる。
【００１９】
エネルギー貯蔵デバイスは、通常バッテリーとしてよりよく知られており、一般に図１に示したものなどのＥＣ電池を複数個含む。ＥＣ電池は、一般に互いにひとまとめにされ、互いに電気的に接続されて１個又は複数のＥＣ電池束を形成する。
【００２０】
図２は、本発明によるＥＣ電池束７０の特定の実施形態を描いている。図２に示したように、ＥＣ電池束７０は、並行し、相対する関係に配設された個々のＥＣ電池７２を複数個含む。個々のＥＣ電池７２は、中でも、陽極集電要素７４と陰極集電要素７６を含む。陽極集電要素は、前に論じたように、その対応する電極と一体化することができ、又はそれと異なることができることに留意されたい。個々のＥＣ電池の陽極集電要素７４は全て電池束の７８側でひとまとめにされ、陰極集電要素７６は同じ電池束の８０側でひとまとめにされる。電池束の個々のＥＣ電池は、ポリプロピレンなどのプラスチック材料の薄い絶縁フィルム（図示されていない）で分離され、個々の電池間の回路短絡が防止される。
【００２１】
陽極集電要素７４を互いに電気的に接続するために、集電端子８２は、ＥＣ電池束の第１の側７８に沿ってこれらの同じ陽極集電要素の上に配置される。集電端子８２は、互いに分岐して間隔をおく１対の腕８６、８８を含み、その間に窪み９０を形成する。窪み９０は、その中に陽極集電要素７４をきちんと受容可能なように成形される。図２は、集電端子８２の腕８６、８８の各々が、最も外側に位置する陽集極電要素７４の主要面の少なくとも一部とも重なり合うことをさらに示している。また、陰極集電要素７６も、集電端子８４によって同じように互いに接続される。
【００２２】
また、図２は、陽極電流収集要素７４がそれらの各主要面を介して互いに電気的に接続されており、後者は物理的に接触していることを描いている。同様に、陰極集電要素７６はそれらの各主要面を介して互いに電気的に接続されており、後者は物理的に接触している。
【００２３】
さらに示すように、絶縁ブーツ又はテープ９１、９３が各腕８６、８８の先端に配置され、対向する電極層を有する腕８６、８８の先端の間の回路短絡を防止する働きをする。図２に示したように、集電端子８４は類似の絶縁ブーツ又はテープで構成される。
【００２４】
図２は６個の個々のＥＣ電池７２を含むＥＣ電池束７０を示しているが、任意の数の個々のＥＣ電池７２を含むＥＣ電池束が本発明の範囲内であることを明確に理解すべきである。
【００２５】
図２に描いたＥＣ電池束を得るために、集電端子はそれぞれ陽極集電要素及び陰極集電要素の上に加えられ、機械的接続を形成するように、その上に圧力が加えられる。それによって集電端子は折り曲げられ、図２に示したような形状を呈する。それらの付随する集電要素と共に集電端子の間により強い機械的接続を形成するように、圧力は圧着工具で加えることが好ましい。それらの付随する集電要素と共に集電端子を締結するには、一般に、圧着圧力単独で十分である。しかし、ある種の環境下で機械的接続を向上させるためには、追加の又は他の締結手段（例えば、超音波溶接、レーザ溶接、アーク溶接、圧力溶接、半田付け、接着剤等）が必要であろう。ここで、集電端子をより詳細に説明する。
【００２６】
図３及び４は、本発明による集電端子１００の一例を別々に描いている。図３，４に示したように、集電端子１００は、使用の前に角度を付けた形態を有することが好ましい。さらに詳細には、集電端子１００は、腕１０２、１０４を画定する、互いに対して実質上直角である１対のプレートを有することが好ましい。また、絶縁ブーツ又はテープ１０６も、各腕の外側に位置し、この目的は前に既に論じた通りである。
【００２７】
集電端子１００は銅から作られることが好ましいが、真鍮、金、銀、アルミニウム、及びそれらの合金などの他の延性のある伝導性材料から作ることができる。
【００２８】
図３及び４は集電端子を実質上直角の形状を有するものとして示しているが、使用の前に他の形状に構成された集電端子も本発明の範囲内であることを明確に理解すべきである。
【００２９】
いったん、図２に描いたような電池束が圧着されると、次いでそれらは各電池束を分離する絶縁フィルムで並行に並べて積み重ねられ、様々な集電端子は電気リード線で最終用途に応じて直列又は並列に互いに接続され、バッテリー又はエネルギー貯蔵デバイスを形成する。図２に示した集電端子８２及び８４の最終形状を変化させて、異なる電気的接続を収容することができ、並びに例えば電池束７０とエネルギー貯蔵デバイスのケーシング間の熱的伝導を提供できることを明確に理解すべきである。
【００３０】
図５は本発明によるＥＣ電池束１２０の別の実施形態を示す。図５に示したように、ＥＣ電池束１２０は複数の個々のＥＣ電池１２２も含むことができ、その陽極集電要素及び陰極集電要素はそれぞれ集電端子１２６、１２８によって互いに接続されている。しかし、この特殊な実施形態では、集電端子１２６、１２８の各々は、異なる長さの腕で構成される。例えば、集電端子１２６は、長い腕１３０と短い腕１３２を含む。集電端子１２８は、同様に長い腕１３４と短い腕１３６で構成される。しかし、長い腕１３４は長い腕１３０とは反対側のＥＣ電池束１２０の上に配設される。また、集電端子１２６の短い腕１３２も、絶縁ブーツ又はテープ１３３で構成される。さらに、絶縁ブーツ又はテープ１３７も集電端子１２８の短い腕１３６に付随する。
【００３１】
図５の実施形態に伴う利点は、複数のＥＣ電池束１２０をそれらの長い腕と並行に並ぶ関係で好ましくは互いに接触させて配設することができ、それによってＥＣ電池束を電気的に接続できることである。その配設は図６に示されており、各ＥＣ電池束を保護エンベロープ内に配置して、電気リード線によって電池束を外部接続に接続する必要性が省かれる。したがって、複数の組（すなわち各電池束ごとに１組）ではなく、１組の電気リード線しか必要としない。
【００３２】
さらなる利点は、集電端子１２６及び１２８の長い腕１３０、１３４を通して、集電端子の１端部から延伸する小ゲージのワイヤを通すよりも大電流の負荷を伝導できることである。ＥＣ電池束を直列に接続するワイヤを通して大電流の負荷を伝導するためには、ワイヤのゲージをかなり大きくしなければならないであろう。集電端子のこの構成によって、例えば、自動車用途などにおいて大電流の放電が必要なとき、ＥＣ電池束間に大ゲージのワイヤを使用することなく、ＥＣ電池束の効率的な直列の電気的接続が可能になる。大電流放電用途では、大ゲージのワイヤは最初と最後のＥＣ電池束を電気化学的バッテリーの正及び負の端子（図に示されていない）に接続するためにだけ使用される。
【００３３】
ＥＣ電池束１２０は、エネルギー貯蔵デバイスの主要な電気リード線が１束の電池束の末端でのみ接続されるように、各ＥＣ電池束の負に荷電した集電端子を隣接するＥＣ電池束の正に荷電した集電端子と電気的に接続して、１組又は１束の電池束を直列に接続するように配設しなければならないことに留意すべきである。
【００３４】
図６は、各ＥＣ電池束の長い腕が、隣接するＥＣ電池束の長い腕に直接物理的に接触していることをさらに示しているが、長い腕の間に機械的なセパレータを配置できることを特に理解すべきである。したがって、長い腕の間に直接物理的な接触がなくとも、電気的な接続を維持することができる。
【００３５】
図７は、様々な電池束が交互パターンで積み重ねられる、別の実施形態の一変形を示している。電池束を直列に接続するために、各ＥＣ電池束の負に荷電した集電端子は、隣接するＥＣ電池束の正に荷電した集電端子に電気的に接続され、それによって直列に接続された電池束積層型を形成する。
【００３６】
図８は、集電端子１５０も異なる長さの腕で構成される、別の実施形態を示している。しかし、この特殊な実施形態では、長い腕１５２は後方に折り曲げられる。図示したように、長い腕１５２は、ＥＣ電池束を電気的に直列に接続するとき、２個の隣接する集電端子１５０の折り曲げられた腕１５２は並行に並べて配置され、互いに、圧着、溶接、超音波溶接又は半田付けを行って良好な電気的接触を確保することができる。この実施形態は長い腕１５２の全長を有利に短縮し、それによって集電端子１５０あたりの重量とコストを低減する。また、これは各ＥＣ電池束間における長い腕の展延を取り除き、それによってＥＣ電池束積層型の全容積を低減する。この実施形態は、複数のＥＣ電池束の直列接続を可能にし、電気化学的バッテリーの正及び負の端子に積層型を接続する電気的リード線を１組だけ有する。前に述べたように、長い腕１５２を通して、小ゲージのワイヤを通すよりも大電流の負荷を伝導することができる。大ゲージのワイヤ（図に示していない）は、ＥＣ電池束の積層型の最初と最後の集電端子１５０を電気化学的バッテリーの正及び負の端子（図に示されていない）に接続することができる。図示されていないが、各ＥＣ電池束は、隣接するＥＣ電池束間の回路短絡を防止するために、絶縁フィルムによって分離される。
【００３７】
図９は、ＥＣ電池束を並列に電気的に接続する、集電端子１７０の別の実施形態を示している。集電端子１７０は、ＥＣ電池束の積層型を並列に電気的に接続するとき、折り曲げられた腕１７２が並行に並べて配置され、互いに、圧着、溶接、超音波溶接又は半田付けを行って良好な電気的接触を確保するように、後方に折り曲げられた類似の長さの２個の腕で構成される。また、この実施形態は、ＥＣ電池束の積層型を電気化学的バッテリー（図示されていない）の正及び負の端子に接続する一組の電気リード線を提供する。
【００３８】
無論、様々な集電端子の形態を使用する、直列接続と並列接続の組合わせは本発明の範囲と精神から逸脱しない。
【００３９】
様々な実施形態を示したが、これは本発明を説明する目的のためであり、制限するものではない。様々な修正は、当業者であれば明らかであろうし、付属の請求項によってより詳細に定義されている本発明の範囲内にある。
【図面の簡単な説明】
【００４０】
【図１】典型的なＥＣ電池の透視図である。
【図２】本発明の非制限的な実施例による電池束を形成するために接続された、複数の個々のＥＣ電池を、簡明さのためにＥＣ電池のいくつかの基本的な部品を省いて示す透視図である。
【図３】ＥＣ電池束の集電要素上に加える前の、図２に描いた集電端子の断面図である。
【図４】図３に描いた集電端子の透視図である。
【図５】本発明の第１の変形によるＥＣ電池束の断面図である。
【図６】並行に並ぶ関係に配設され、電気的に接続された、図５に描いたものと類似の複数のＥＣ電池束の断面図である。
【図７】交互に並行に並ぶ関係に配設され、電気的に接続された、図５に描いたものと類似の複数のＥＣ電池束の断面図である。
【図８】本発明の第２の変形による、集電端子と直列に電気的に接続された複数のＥＣ電池束の断面図である。
【図９】本発明の第３の変形による、集電端子と並列に電気的に接続された複数のＥＣ電池束の断面図である。
【図１】
2005528741.tif 000003
【図２】
2005528741.tif 000004
【図３】
2005528741.tif 000005
【図４】
2005528741.tif 000006
【図５】
2005528741.tif 000007
【図６】
2005528741.tif 000008
【図７】
2005528741.tif 000009
【図８】
2005528741.tif 000010
【図９】
2005528741.tif 000011
【国際調査報告】
2005528741.tif 000012
2005528741.tif 000013